(57)【要約】【課題】  ヘッドセット及びスマートデバイスにおいて、ユーザーが使用する国・言語に関する設定・変更を容易にする。【解決手段】  ステータスガイド等の音声データ再生機能を備えたヘッドセットにおいて、国・言語情報の設定部と、ヘッドセットとスマートデバイスの間で制御信号及び情報信号を伝送する送受信部とを備え、スマートデバイスから取得した国情報に基づいて、前記設定部に言語情報を設定することにより、ステータスガイド等の音声データの使用言語を容易に変更することができる。【選択図】      図１
2014195226.tif 000002
【特許請求の範囲】
【請求項１】
外部装置から入力された音声信号を音に変換して出力するスピーカと、音声データを記憶する記憶部と、前記記憶部に記憶された音声データを再生し前記スピーカに出力する再生部と、使用する国を示す情報を設定する国情報設定部と、使用する言語を設定する言語設定部と、外部のスマートデバイスとの間で制御信号及び国情報を伝送する送受信部と、ヘッドセット及び前記スマートデバイスを操作するための操作キーと、前記操作キーの操作に対応して、ヘッドセット各部を制御し、前記スマートデバイスを制御する制御信号を出力するとともに、前記国情報設定部に設定された国を示す情報に基づいて前記言語設定部に使用言語を設定する制御部とを備えることを特徴とするヘッドセット。
【請求項２】
請求項１に記載のヘッドセットであって、前記制御部は、ヘッドセットの動作状態を示すステータスガイド情報を音声出力する制御を行う音声ガイド制御部を備え、前記記憶部は、前記ステータスガイド情報を含む音声データを予め記憶し、前記音声ガイド制御部は、前記記憶部から前記言語設定部に設定された言語の音声データを前記再生部に再生させる制御を行うことを特徴とするヘッドセット。
【請求項３】
請求項１または請求項２に記載のヘッドセットであって、前記言語設定部の言語設定を手動操作によって変更する変更操作キーを備えることを特徴とするヘッドセット。
【請求項４】
請求項１から請求項３のいずれか一項に記載のヘッドセットであって、前記国情報に基づいて、前記操作キーに割り当てられた機能を変更設定するローカライズ設定部を備えることを特徴とするヘッドセット。
【請求項５】
請求項１から請求項４のいずれか一項に記載のヘッドセットであって、前記操作キーに割り当てられた機能を手動操作によって変更設定するカスタマイズ設定部を備えることを特徴とするヘッドセット。
【請求項６】
外部との通信を行う通信部と、アプリケーションソフトウェアを記憶する記憶部と、前記アプリケーションソフトウェアを動作させる制御部と、スマートデバイス及び前記アプリケーションソフトウェアの動作状態を表示する表示部と、使用する国を示す情報を設定する国情報設定部と、外部のヘッドセットとの間で制御信号及び国情報を伝送する送受信部と、スマートデバイス及び前記ヘッドセットの操作を行うための操作部とを備え、前記制御部は、前記操作部の操作に対応して、スマートデバイス各部を制御し、前記ヘッドセットを制御することを特徴とするスマートデバイス。
【請求項７】
請求項６に記載のスマートデバイスであって、前記制御部は、前記ヘッドセットの国情報設定または言語設定に基づいて、前記送受信部に音声データを送信させることを特徴とするスマートデバイス。
【請求項８】
請求項７に記載のスマートデバイスであって、前記ヘッドセットの言語設定を手動操作によって変更する変更操作部を備えることを特徴とするスマートデバイス。
【請求項９】
請求項６から請求項８のいずれか一項に記載のスマートデバイスであって、前記制御部は、前記ヘッドセットの国情報設定に基づいて、前記ヘッドセットの操作キーに割り当てられた機能を変更設定するローカライズ設定制御信号を前記送受信部に送信させることを特徴とするスマートデバイス。
【請求項１０】
請求項６から請求項９のいずれか一項に記載のスマートデバイスであって、前記操作部は、前記ヘッドセットの操作キーに割り当てられた機能を手動操作によって変更設定するカスタマイズ設定操作部を備えることを特徴とするスマートデバイス。
【発明の詳細な説明】
【技術分野】
【０００１】
本発明は、ステータスガイド等の音声再生機能を備えたヘッドセット、及びヘッドセットに接続して使用されるスマートデバイスに関する。
【背景技術】
【０００２】
使用者が、頭部に装着し片耳又は両耳で音声を聴取するようにして、通話、通信、音楽再生等に使用するヘッドセットは、スマートフォン、タブレット端末、モバイル端末、携帯電話、パソコン、通信装置、インターネットに接続される電気装置等、さまざまな外部機器に接続されて、使用される。中でも、スマートフォンやタブレット端末などの、スマートデバイスと総称される機器は、通信ネットワークに接続され、アプリケーションソフトウェアをダウンロードして、音声再生・入出力を伴う情報処理・管理など種々の用途に用いられる機能を備え、ヘッドセットと接続される外部機器として活用されることが多くなっている。
このようなヘッドセットには、接続したスマートデバイス等の外部機器を操作するための機能を備えたものもあった。
【０００３】
このようなヘッドセットに関して、操作時の、動作状態、設定状態等のステータスを、ビープ(BEEP)音、BEEP音の高低・長短・間隔の組み合わせで表現するように出力したり、ステータスを説明する音声ファイルを利用し、言語で表現する音声(ボイスメッセージ等)を出力したりする、ステータスガイド機能を備えたものがあった。
【０００４】
このようなガイド機能に用いられる言語設定方法に関して、従来、テーマパークのアトラクションにおいて使用者が選択した言語の音声ファイルを再生するようにした多言語アトラクション通信装置（例えば、特許文献１参照）、選択された言語の画面データを表示するようにした携帯通信端末（例えば、特許文献２参照）があった。
【０００５】
一方、ヘッドセットに搭載されている操作ボタン類は、操作ボタンごとに予め決められた機能が割り当てられ、１つの操作ボタンで１つの機能だけを行うことができるように、設定が固定されていた。
【先行技術文献】
【特許文献】
【０００６】
【特許文献１】特表２０１０−５１２５７５号公報
【特許文献２】特開２００４−３２３８４号公報
【発明の概要】
【発明が解決しようとする課題】
【０００７】
全世界（ワールドワイド）で提供するヘッドセットでは、各種の設定項目・設定手順の簡素化、コストパフォーマンスの向上のため、内蔵メモリの容量をできるだけ抑制する傾向にあり、多言語に対応した各種のステータスガイド用の音声データ等を充分に記憶することができないことがあった。また、内蔵メモリに記憶されない言語もあり、ワールドワイドで提供する機器であっても、世界各地のユーザー全ての言語に対応しきれているとは限らなかった。
【０００８】
ワールドワイドで提供するヘッドセットでは、操作ボタンの配置や操作機能を提供先の国や地域ごとにカスタマイズしたいという、ローカライズ対応の要求があったが、上記のような内蔵メモリの制限もあるため、搭載されている操作ボタンも予め決められた機能の操作しかできないようになっているものが多く、ローカライズ機能を備えていなかった。
【０００９】
また、操作ボタンのカスタマイズ機能を備えていなかったが、ユーザーにとって、操作ボタンに必要性のある機能だけを割り当てて、使いやすい配列に設定したいという要求があった。
【００１０】
本願発明は、限られたメモリ容量であっても、ステータスガイド等に用いる音声データを多言語に対応できるようにし、操作ボタンのカスタマイズやローカライズの設定を行えるようにすることを目的とする。
【課題を解決するための手段】
【００１１】
本願発明に係るヘッドセットは、外部装置から入力された音声信号を音に変換して出力するスピーカと、音声データを記憶する記憶部と、前記記憶部に記憶された音声データを再生し前記スピーカに出力する再生部と、使用する国を示す情報を設定する国情報設定部と、使用する言語を設定する言語設定部と、外部のスマートデバイスとの間で制御信号及び国情報を伝送する送受信部と、ヘッドセット及び前記スマートデバイスを操作するための操作キーと、前記操作キーの操作に対応して、ヘッドセット各部を制御し、前記スマートデバイスを制御する制御信号を出力するとともに、前記国情報設定部に設定された国を示す情報に基づいて前記言語設定部に使用言語を設定する制御部とを備えるものである。
【００１２】
また、本願発明に係るヘッドセットは、前記制御部は、ヘッドセットの動作状態を示すステータスガイド情報を音声出力する制御を行う音声ガイド制御部を備え、前記記憶部は、前記ステータスガイド情報を含む音声データを予め記憶し、前記音声ガイド制御部は、前記記憶部から前記言語設定部に設定された言語の音声データを前記再生部に再生させる制御を行うものである。
また、本願発明に係るヘッドセットは、前記言語設定部の言語設定を手動操作によって変更する変更操作キーを備えるものである。
また、本願発明に係るヘッドセットは、前記国情報に基づいて、前記操作キーに割り当てられた機能を変更設定するローカライズ設定部を備えるものである。
また、本願発明に係るヘッドセットは、前記操作キーに割り当てられた機能を手動操作によって変更設定するカスタマイズ設定部を備えるものである。
【００１３】
本願発明に係るスマートデバイスは、外部との通信を行う通信部と、アプリケーションソフトウェアを記憶する記憶部と、前記アプリケーションソフトウェアを動作させる制御部と、スマートデバイス及び前記アプリケーションソフトウェアの動作状態を表示する表示部と、使用する国を示す情報を設定する国情報設定部と、外部のヘッドセットとの間で制御信号及び国情報を伝送する送受信部と、スマートデバイス及び前記ヘッドセットの操作を行うための操作部とを備え、前記制御部は、前記操作部の操作に対応して、スマートデバイス各部を制御し、前記ヘッドセットを制御するものである。
【００１４】
また、本願発明に係るスマートデバイスは、前記制御部は、前記ヘッドセットの国情報設定または言語設定に基づいて、前記送受信部に音声データを送信させるものである。
また、本願発明に係るスマートデバイスは、前記ヘッドセットの言語設定を手動操作によって変更する変更操作部を備えるものである。
また、本願発明に係るスマートデバイスは、前記制御部は、前記ヘッドセットの国情報設定に基づいて、前記ヘッドセットの操作キーに割り当てられた機能を変更設定するローカライズ設定制御信号を前記送受信部に送信させるものである。
また、本願発明に係るスマートデバイスは、前記操作部は、前記ヘッドセットの操作キーに割り当てられた機能を手動操作によって変更設定するカスタマイズ設定操作部を備えるものである。
【発明の効果】
【００１５】
本発明のヘッドセット及びスマートデバイスによれば、ユーザーが使用する国に対応して、言語を設定することができる。
本発明のヘッドセット及びスマートデバイスによれば、ユーザーが使用する国・言語に対応して、設定を変更することができる。
【図面の簡単な説明】
【００１６】
【図１】本発明のヘッドセット及びスマートデバイスの一実施形態の概略構成を示す図である。
【発明を実施するための形態】
【００１７】
図１は、本発明のヘッドセット及びスマートデバイスの一実施形態の概略構成を示す図である。
ヘッドセット１は、使用者が、頭部に装着し片耳又は両耳で音声を聴取するように用いられる。ヘッドセット１は、スピーカ１１、記憶部１２、再生部１３、操作キー１４、送受信部１５、インタフェース１６、制御部１７、音声ガイド制御部１７ａ、設定部１８、国情報設定部１８ａ、言語情報設定部１８ｂを備える。
【００１８】
スピーカ１１は、スマートデバイス２など外部装置から入力された音声信号を音に変換して出力するスピーカであり、使用者の片耳または両耳に装着される。
記憶部１２は、各種データを記憶するメモリであり、ヘッドセット１の、動作状態、設定状態等のステータスを使用者に知らせるための音声データが予め記憶されている。
再生部１３は、記憶部１２から読み出された音声データを再生し、アナログ音声信号としてスピーカ１１に出力する。
【００１９】
操作キー１４は、ヘッドセット１の各種操作を行うための複数の操作キーである。
送受信部１５は、ヘッドセット１で用いられる情報信号、制御信号を、予め定められたインタフェース１６の通信方式で、送受信を行う。
【００２０】
制御部１７は、ＣＰＵ回路等によって構成され、記憶部１２、再生部１３、操作キー１４、送受信部１５、インタフェース１６、設定部１８など、ヘッドセット１各部の制御を行う。
音声ガイド制御部１７ａは、ヘッドセット１の、動作状態、設定状態等のステータスガイド音声を出力する場合、後述する言語情報設定部１８ｂに設定された言語の、ガイド出力するべきステータスに対応した音声データを、記憶部１２から読み出し、再生部１３を介してスピーカ１１に出力させる。
【００２１】
設定部１８は、ヘッドセット１の使用条件など各種の設定を行い、設定項目ごとに決定された設定値を記憶する。
国情報設定部１８ａは、ヘッドセット１を使用する国や地域を示す国情報を設定する。
言語情報設定部１８ｂは、ヘッドセット１において使用される言語を設定する。制御部１７は、国情報設定部１８ａの国情報が、新たに、または更新して設定されると、国情報に対応した言語（例えば、国が日本であれば日本語、米国であれば英語）を、言語情報設定部１８ｂに設定する。
【００２２】
スマートデバイス２は、スマートフォンやタブレット端末など、通信ネットワークに接続され、アプリケーションソフトウェアを利用して、音声再生・入出力を伴う情報処理・管理など種々の用途に利用できる装置である。
スマートデバイス２は、通信部２１、記憶部２２、アプリケーションソフトウェア２３、表示部２４、操作部２５、送受信部２６、インタフェース２７、制御部２８、設定部２９、国情報設定部２９ａ、言語情報設定部２９ｂ、を備える。
【００２３】
通信部２１は、外部の通信回線、ネットワーク、Wi-Fi等の、情報データ通信、通話等を行う。
記憶部２２は、各種データ、通信・通話の記録、ソフトウェア等を記憶するメモリである。
アプリケーションソフトウェア２３は、記憶部２２に記憶され、後述する制御部２８によって動作し、目的・用途に応じて、スマートデバイスの機能を提供するために用いられる。
【００２４】
表示部２４は、スマートデバイス２の動作、アプリケーションソフトウェア２３の機能・動作に関する、各種の表示を行うディスプレイである。
操作部２５は、スマートデバイス２の各種操作、アプリケーションソフトウェア２３に関する各種操作を行うための操作ボタン、または、タッチディスプレイとして表示部２４に一体的に設けられた操作部である。タッチディスプレイの場合、操作部の操作機能、操作位置等の情報は、表示部２４に表示され操作に対応する機能が実行される。
【００２５】
送受信部２６は、スマートデバイス２及びヘッドセット１で用いられる情報信号、制御信号を、予め定められたインタフェース２７の通信方式で、送受信を行う。送受信部２６及びインタフェース２７は、ヘッドセット１の送受信部１５及びインタフェース１６と整合した通信が行えるように構成されている。
制御部２８は、ＣＰＵ回路等によって構成され、通信部２１、記憶部２２、アプリケーションソフトウェア２３、表示部２４、操作部２５、送受信部２６、インタフェース２７、設定部２９など、スマートデバイス２の各部の制御を行う。
【００２６】
設定部２９は、スマートデバイス２の使用条件など各種の設定を行い、設定項目ごとに決定された設定値を記憶する。
国情報設定部２９ａは、スマートデバイス２を使用する国や地域を示す国情報を設定する。言語情報設定部１８ｂは、スマートデバイス２において使用される言語を設定する。制御部２９は、国情報設定部２９ａの国情報が、新たに、または更新して設定されると、国情報に対応した言語（例えば、国が日本であれば日本語、米国であれば英語）を、デフォルト設定値とする。使用者は、そのまま設定することも変更して設定することもできる。
【００２７】
ヘッドセット１とスマートデバイス２は、有線又は無線の送受信部１５、２６によって接続され、予め定められた伝送インタフェース１６、２７によって、有線又は無線で、相互に情報信号、制御信号等を送受信する。
【００２８】
ヘッドセット１を初めてスマートデバイス２に接続する場合、接続するスマートデバイス２に既に記憶されている国設定などの情報を取得するための通信プロトコルをヘッドセット１及びスマートデバイス２に備える。
その通信手段（通信プロトコル）を利用して、自動的に、ヘッドセット１の内部ステータスを表現するボイスメッセージ（音声データ）の国・言語の設定を、スマートデバイス２から伝送された国・言語の設定情報に合わせて、変更する。
ヘッドセット１とスマートデバイス２の通信プロトコルは、利用されている通信の中のベンダーユニークコマンドを利用することができる。また、シリアル通信を利用してATコマンドなどで情報のやり取りを行ってもよい。音声データや操作キーの設定情報の転送にも、この通信プロトコルを利用することができる。
【００２９】
ここで、ヘッドセット１の国・言語の情報を手動で設定または変更できるようにするため、スマートデバイス２において、ヘッドセット１の国・言語の設定情報を設定または変更する機能を備えるアプリケーションソフトウェア２３を利用することにより、ヘッドセット１の国・言語情報を表示部２４及び操作部２５の操作により、新たに設定または変更できるＵＩ(User Interface)を提供し、設定・変更を容易にすることができる。
このようなアプリケーションソフトウェア２３は、ヘッドセット１と情報の同期を可能として、ヘッドセット１とスマートデバイス２の国・言語設定情報を交換し整合させることができる。国情報は、スマートデバイス固有の国情報またはISOコードを取得し利用してもよい。
【００３０】
ここで、ヘッドセット１、記憶部１２に対応する言語の音声データが予め記憶されていない（設定部１８で設定できる選択肢に含まれていない）場合、スマートデバイス２の表示部２４に対応する言語を設定できない旨のアラートを表示する。スマートデバイス２は、対応する言語の音声データを、通信部２１を介して外部からダウンロード可能か否かを確認し、確認結果を表示する。ダウンロード可能な場合、対応する言語の音声データを、スマートデバイス２のアプリケーションソフトウェア２３の機能によって記憶部２２にダウンロードした後、ヘッドセット１の記憶部１２に伝送し記憶させ、ヘッドセット１において設定対応できるようにする。
【００３１】
記憶部１２、設定部１８には、追加・変更するためのメモリ領域を準備しておき、新たな音声データをダウンロードする場合に、任意に選択したデータ、設定を、追加または変更可能としても良い。
【００３２】
スマートデバイス２において、ヘッドセット１の設定機能を備えるアプリケーションソフトウェア２３を利用することにより、ヘッドセット１の言語設定を表示部２４及び操作部２５の操作により変更できるＵＩを提供し、変更を容易にすることができる。
スマートデバイス２において、ヘッドセット１の設定機能を備えるアプリケーションソフトウェア２３を利用することにより、ヘッドセット１の操作キーに割り当てられている機能の設定を、表示部２４及び操作部２５の操作により変更して設定部１８に設定できるＵＩを提供し、操作キーのカスタマイズ設定・変更を容易にすることができる。
以上のような設定変更に関しては、個々に変更できる手段とともに、変更パターンを組み合わせた複数種類のテーブル、設定できる操作キーと機能のボタン一覧を用意しその中から選択できるようにして、設定変更を容易にすることができる。
【００３３】
操作キー１４の機能は、例えば、電源操作（Ｏｎ／Ｏｆｆ／機器接続）、音楽操作（再生、一時停止、停止）、通話操作（受話、拒否、終了）が、複数の操作キーに、予め割り当てられている。
操作キー１４のカスタマイズ設定に関して、選択して各操作キーに割り当てることができる機能は、例えば、音楽操作（音量Ｕｐ／Ｄｏｗｎ、曲送り／曲戻し、早送り／早戻し、ピッチコントロール、録音の開始／停止、音楽イコライザーのＯｎ／Ｏｆｆ／選択）、通話操作（リダイヤル、ボイスダイヤル、ミュートＯｎ／Ｏｆｆ、通話を電話に戻す、三者通話開始／停止／選択）、携帯電話操作（マナーモード切替、電波Ｏｆｆモード）、電池残量確認（ヘッドセット側、スマートデバイス側）、ステータス言語切り換え、外の音を聞くモード、ソフトウェアアップデートモード、機能削減モード（通話機能削減、音楽再生削減）、ヘッドホンのボタンでは一切操作しないモード、などがある。
【００３４】
ヘッドセット１において、国情報と操作キー１４のカスタマイズ設定機能を関連付けることにより、国や地域といった仕向地ごとに、複数の操作キー１４にそれぞれ割り当てる機能を変えて設定することができる。制御部１７は、国情報設定部１８ａに設定される国情報に基づいて、予め記憶部１２に国情報に対応付けて記憶されている操作キー１４のローカライズ設定情報を読み出し、設定部１８に設定する。なお、ローカライズ設定は、国・地域ごとに操作キーの初期設定を定義する。ユーザーは、必要に応じて、操作キー１４のカスタマイズ設定を行うことができる。
【００３５】
ヘッドセット１内部の音声データや操作キーの設定情報を、スマートデバイス２へ伝送してバックアップやレストアできる機能を備えるようにしてもよい。このような機能は、アプリケーションソフトウェアで操作できるように実施することができる。アプリケーションソフトウェアにバックアップ機能を用意し、設定変更や機能変更が行われたとき、自動的にバックアップするようにしてもよい。
【００３６】
スマートデバイス２のアプリケーションソフトウェアを利用して、ヘッドセット１のアップデートを行うようにしてもよい。アプリケーションソフトウェアによって、外部のWebサイトに接続可能とし、アプリケーションソフトウェアのバージョン確認とともに、ヘッドセット１の制御ソフトウェアのバージョン確認、バージョンアップを行えるシステム構成として実施することもできる。
【００３７】
本発明のヘッドセット及びスマートデバイスによれば、ユーザーが使用しているどこの国の言語でも自動的に対応または確認することができ、利用しやすいヘッドセットを提供するとともに、予め設定されていない言語にも変更する対応を可能とすることができる。
また、ユーザーがヘッドセットとスマートデバイスの操作を使いやすくするため、カスタマイズすることができる。
ヘッドセットとスマートデバイスの親和性を、アプリケーションソフトウェアの利用によって高めることができる。
ユーザーがヘッドセット又はスマートデバイスのいずれかを交換した場合にも復元（リストア）機能を利用することで同じ操作性を再現し維持することができる。
【符号の説明】
【００３８】
１  ヘッドセット
２  スマートデバイス
１１  スピーカ
１２、２２  記憶部
１３  再生部
１４  操作キー
１５、２６  送受信部
１６、２７  インタフェース
１７、２８  制御部
１７ａ  音声ガイド制御部
１８、２９  設定部
１８ａ、２９ａ  国情報設定部
１８ｂ、２９ｂ  言語情報設定部
２１  通信部
２３  アプリケーションソフトウェア
２４  表示部
２５  操作部
【図１】
2014195226.tif 000003